(57)【要約】【課題】  蓋体に形成してある凹入支柱の内部に虫の死骸や塵が入っていて驚愕したり、不快感や不潔感を与えることがないようにした鶏卵包装用容器を提供すること。【解決手段】  鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、蓋体２が、閉蓋姿勢において、容器本体１における四つの個別凹部１１の中心部に形成された支柱部１２と対応する部位に凹入支柱２２を備えていて、該凹入支柱２２が、該蓋体２における前記ヒンジ部３と平行な少なくとも一つの側壁部２３ａ，２３ｂと連なる仕切り段部２４を備えていて、該仕切り段部２４における前記凹入支柱２２と側壁部２３ａ，２３ｂとの間の一部２５が、該蓋体２における凹部２１を形成する天板面２６と略同一面を形成する構成としたもの。【選択図】        図１
2006082835.tif 000002
【特許請求の範囲】
【請求項１】
鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、蓋体２が、閉蓋姿勢において、容器本体１における四つの個別凹部１１の中心部に形成された支柱部１２と対応する部位に凹入支柱２２を備えていて、該凹入支柱２２が、該蓋体２における前記ヒンジ部３と平行な少なくとも一つの側壁部２３ａ，２３ｂと連なる仕切り段部２４を備えていて、該仕切り段部２４における前記凹入支柱２２と側壁部２３ａ，２３ｂとの間の一部２５が、該蓋体２における凹部２１を形成する天板面２６と略同一面を形成する構成とされている樹脂シート製鶏卵包装用容器。
【請求項２】
鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、蓋体２が、閉蓋姿勢において、容器本体１における四つの個別凹部１１の中心部に形成された支柱部１２と対応する部位に凹入支柱２２を備えていて、該凹入支柱２２が、該蓋体２における前記ヒンジ部３と平行な両側の側壁部２３ａ，２３ｂとそれぞれ連なる仕切り段部２４，２４を備えていて、これらの仕切り段部２４，２４における前記凹入支柱２２と側壁部２３ａ，２３ｂとの間の一部２５，２５が、該蓋体２における凹部２１を形成する天板面２６と略同一面を形成する構成とされている樹脂シート製鶏卵包装用容器。
【請求項３】
仕切り段部２４における一部２５の、ヒンジ部３と直交する方向の断面形状が円弧状または台形状のものである請求項１または２の何れかに記載の樹脂シート製鶏卵包装用容器。
【発明の詳細な説明】
【技術分野】
【０００１】
本発明は、容器本体と蓋体とがその一側部でヒンジ部を介して折り曲げ、折重ね自在に一体的に連結形成されている樹脂シート製の鶏卵包装用容器に関するものである。
【背景技術】
【０００２】
従来から、この種樹脂シート製の鶏卵包装用容器は、容器内に鶏卵を収納して保護する包装用容器として周知されている。この種の鶏卵包装用容器にあっては、容器本体に対して蓋体を折り曲げ部から折り曲げて容器本体上に重ね合わせ状とし鶏卵の上方を覆わせ、その遊端側の接合縁の外周面に、片面に接着剤を塗布した粘着テープを側面視Ｕ字形に折り曲げて接着させることにより封緘する包装手段がとられている。また、包装した鶏卵の愛称や商標、商品名・生産者名・生産日または消費期限等を印刷したラベルも機械によって各容器の蓋体の表面に貼着する手段が採用されている。
【０００３】
このラベルを蓋体の表面に貼着する容器の形態としては、例えば、特開２０００−２３８７３７号公報の図１，２に見られるように、そして図７及び８として示したように、蓋体２の形状を、閉蓋姿勢において、容器本体１における四つの鶏卵収容用個別凹部１１，１１…の中心部に形成された支柱部１２と対応する部位に、容器本体１側に向かって凹入する凹入支柱２２を形成してある形状としてあり、この凹入支柱２２に通じる仕切り段部２４を、この凹入支柱２２と蓋体２における長手方向の一方の側壁部２３との間を繋ぐように形成したものとしてある。また、特開２０００−４３８３８号公報の図１５に見られるように、そして図９として示したように、蓋体２に形成されている前記凹入支柱２２に対し、当該蓋体２における長手方向に沿った両側の側壁部２３，２３とをそれぞれに繋ぐように形成したものが知られている。
【特許文献１】特開２０００−２３８７３７号公報
【特許文献２】特開２０００−４３８３８号公報
【発明の開示】
【発明が解決しようとする課題】
【０００４】
本発明は、ここにいう蓋体２における凹入支柱２２に対して、一方の側壁部との間に仕切り段部を形成したものや、対向する両方の側壁部との間に仕切り段部を形成した容器を対象としたものである。
【０００５】
然るところ、これらの形態とした容器にあっては、前記仕切り段部を通路として凹入支柱２２の内部に小さい虫や塵が入り込むことがあり、内容鶏卵の使用後に、容器の廃棄に際して蓋体の表面上に貼着してあるラベルを剥離すると、それまでラベルによって覆われていた凹入支柱２２の内部に虫の死骸が入っていて驚愕するということが生じることがあった。そのような場合には、購買者に不快感や不潔感を与えることに繋がりかねない。そのため、このような仕切り段部を備えたものであっても、凹入支柱の内部に虫が入り込むような事態の発生を根本的に解消することができるようにした鶏卵包装用容器を提供しようとするものである。
【課題を解決するための手段】
【０００６】
該目的を達成するために講じた本発明にかかる樹脂シート製鶏卵包装用容器の第１の構成は、鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、蓋体２が、閉蓋姿勢において、容器本体１における四つの個別凹部１１の中心部に形成された支柱部１２と対応する部位に凹入支柱２２を備えていて、該凹入支柱２２が、該蓋体２における前記ヒンジ部３と平行な少なくとも一つの側壁部２３ａ，２３ｂと連なる仕切り段部２４を備えていて、該仕切り段部２４における前記凹入支柱２２と側壁部２３ａ，２３ｂとの間の一部２５が、該蓋体２における凹部２１を形成する天板面２６と略同一面を形成する構成としたものである。
【０００７】
また、第２の構成は、鶏卵の下半部を収容する個別凹部１１を備えた容器本体１と、鶏卵の上面を覆う凹部２１を備えた蓋体２とがその一側部でヒンジ部３を介して折り曲げ折重ね自在に一体的に連結形成された樹脂シート製鶏卵包装用容器であって、蓋体２が、閉蓋姿勢において、容器本体１における四つの個別凹部１１の中心部に形成された支柱部１２と対応する部位に凹入支柱２２を備えていて、該凹入支柱２２が、該蓋体２における前記ヒンジ部３と平行な両側の側壁部２３ａ，２３ｂとそれぞれ連なる仕切り段部２４，２４を備えていて、これらの仕切り段部２４，２４における前記凹入支柱２２と側壁部２３ａ，２３ｂとの間の一部２５，２５が、該蓋体２における凹部２１を形成する天板面２６と略同一面を形成する構成としたものである。
【発明の効果】
【０００８】
本発明は、以上の構成としたものであるから、請求項１の構成とした容器にあっても、請求項２の構成とした容器にあっても、蓋体における凹入支柱とヒンジ部と平行な側壁部とを繋ぐ仕切り段部を、その一部が蓋体における天板面と略同一面を形成する構成としたものであるため、凹入支柱の内部に虫や塵等が入り込むことを未然に防止することができるという効果を有するに至ったのである。
【０００９】
而して、上記のような構成としたことによって、天板面と略同一面を形成する部分の存在により、仕切り段部によって弱められていた容器全体の、殊に、蓋体の長手方向の曲げ強度、即ち、ヒンジ部と平行な方向の曲げ強度を同時に強化することができるという利点をも備えたものとなった。したがって、従来容器と同じ曲げ強度のものであれば、僅かながらでも薄いシート素材を使用することができる利点をも期待することができるに至ったのである。
【発明を実施するための最良の形態】
【００１０】
本発明を実施するに当たっては、前記仕切り段部２４の形状を、ヒンジ部３と直交する方向で見た断面形状が、円弧状となつている部分や、台形状となつている部分を備えているものとしたり、三角形や不等辺三角形その他適宜の形状部分を備えているものとして、その一部が蓋体２の天板面２６と等しいか、略等しい高さを備えているものとして実施することができる。
【実施例】
【００１１】
以下、本発明の構成を実施例図面に基づいて説明する。図１は容器全体の閉蓋状態を示す斜視図、図２は同容器全体の開蓋状態を示す斜視図である。
【００１２】
而して、これらの実施例図は第１実施の鶏卵包装用容器を示したものであって、該実施例の容器は、図２における容器本体１に示した鶏卵収容用個別凹部１１，１１…にみられるように、前後２列左右５個、合計１０個の鶏卵を個別に収納させて使用する容器を対象として示したものである。この鶏卵収容用の個別凹部１１は、前後に２列、左右に３個、合計６個形成した容器や、左右４個、合計８個、左右６個、合計１２個の容器や、前後３列、左右５個、合計１５個の凹部を形成した容器等各種のものがある。
【００１３】
この鶏卵包装用容器は、合成樹脂シート素材を用いて容器本体１と蓋体２とをその一側部においてヒンジ部３を介して折り曲げ自在で、蓋体２を容器本体１上に折重ね自在に一体的に連結成形したものである。鶏卵の包装は、容器本体１に形成された前記１０個の各卵収容凹部１１のそれぞれに鶏卵を個別に収容させた後、蓋体２をヒンジ部３から上方に向かって折り曲げて容器本体１の上に折り重ね状として鶏卵の上部を覆わせ、これら容器本体１の遊端側の接合縁１７と蓋体２の遊端側の接合縁２７とを重ね合わせ、この接合縁１７，２７をぴったりと重ね合わせた状態として、その外端縁に、片面に接着剤を塗布した封緘用の接着テープの幅方向中間部分を当てつけた状態として、該テープを側面視横向きＵ字形に折り曲げながら外側から包み込むようにして上下の接合縁１７，２７に接着させて封緘させるのである。このようにして封緘した後、図３、図６に示したように、蓋体２の天板面２６上に、所要事項を印刷したラベル６を貼着して市場に出荷するのである。
【００１４】
この実施例に示した容器の蓋体２は、鶏卵の上半部を覆う概略長方形とした凹入部２１を備えていて、その底面を形成する天蓋部分、即ち、天板面２６は、閉蓋姿勢において、容器本体１における四つの個別凹部１１，１１…の中心部に形成された四つの支柱部１２，１２…とそれぞれ対応する部位に、四つの凹入支柱２２，２２…を備えていて、これらの各凹入支柱２２，２２…が、前記ヒンジ部３と平行でかつ同ヒンジ部３に隣接する側の側壁部２３ａと連なる仕切り段部２４を備えていて、これらの各仕切り段部２４が、断面形状円弧形のドーム形状とした部分を備え、その一部２５、即ち稜線部分が、該蓋体２における凹部２１を形成する天板面２６と略同一面となる形態部分を備えた構造としたものである。なお、図中の符号７は、ヒンジ部３の内面に予め接着された開封用の紐であって図１の状態から、何れかの一端部分を摘んで手前側に引っ張ることによって、ヒンジ部３を破って開封するようにしたものである。
【００１５】
図３は、第２実施例の容器を示したものであって、前記第１実施例に示したところの、蓋体２に形成した各凹入支柱２２と容器長手方向の側壁部との間に形成された仕切り段部２４が前後の両側壁部２３ａ，２３ｂとのそれぞれの間に形成されているものであって、これらの各仕切り段部２４が、前記の断面円弧形のドーム形状とした部分を備え、その一部２５が、それぞれ蓋体２における天板面２６と略同一面となる形態部分を備えた構造としたものである。その他は前記第１実施例と同様のものである。
【００１６】
而して、図４及び図５は、第３実施例の容器を示したもので、前記第１実施例に示したところの、蓋体２における各凹入支柱２２と一方の側壁部２３ａとの間に形成されている各仕切り段部２４内に形成された断面円弧形のドーム形状とした部分に代えて、その形状を断面台形状のものとしたものである。そして、この台形状の一部を形成する頂面２５が、それぞれ蓋体２における天板面２６と略同一面となる構造としたものである。その他は前記第１実施例と同様のものである。
【００１７】
また、図６は、第４実施例の容器を示したもので、前記第２実施例に示したところの、蓋体２における各凹入支柱２２と両側の側壁部２３ａ、２３ｂとのそれぞれの間に形成されている各仕切り段部２４内に形成された断面円弧形のドーム形状とした部分に代えて、その形状を前記第３実施例の形態のように、断面台形状のものとし、同様に、この台形状の一部を形成する頂面２５が、それぞれ蓋体２における天板面２６と略同一面となる構造としたものである。
【００１８】
以上に本発明の代表的と思われる実施例について説明したが、本発明にいうところの各仕切り段部２４内に形成された虫除け堰きの形状については適宜の形状に変更して実施することができるものである。
【図面の簡単な説明】
【００１９】
【図１】第１実施例の容器の閉蓋状態の斜視図。
【図２】同容器の開蓋状態の斜視図。
【図３】第２実施例の容器の閉蓋状態の斜視図。
【図４】第３実施例の容器の閉蓋状態の斜視図。
【図５】同容器の開蓋状態の斜視図。
【図６】第４実施例の容器の閉蓋状態の斜視図。
【図７】従来例の容器の閉蓋状態の斜視図。
【図８】同容器の開蓋状態の斜視図。
【図９】他の従来例の容器の閉蓋状態の斜視図。
【符号の説明】
【００２０】
１  容器本体
１１  鶏卵収容個別凹部
１２  支柱部
２  蓋体
２１  凹部
２２  凹入支柱
２３ａ  側壁部
２３ｂ  側壁部
２４  仕切段部
２５  一部
２６  天板面
３  ヒンジ部
【図１】
2006082835.tif 000003
【図２】
2006082835.tif 000004
【図３】
2006082835.tif 000005
【図４】
2006082835.tif 000006
【図５】
2006082835.tif 000007
【図６】
2006082835.tif 000008
【図７】
2006082835.tif 000009
【図８】
2006082835.tif 000010
【図９】
2006082835.tif 000011